(57)【要約】
【課題】　絶縁型端子の使用中にプラグ内部への液体の進入を防止し、電線の出火の事故を防止する防水型絶縁端子の提供。
【解決手段】　絶縁層で端子本体後部を被覆し、その外縁の末端に凸縁部を形成し、且つ該絶縁層のプラスチック材料を端子本体後部の穿孔に充填し、強固な結合を形成し、該凸縁部をプラグ端子の内フレームを一体に射出成形する時、内フレームの内縁に当接させて、水分が外部より進入するのを防止する安全効果を形成する。
【選択図】　　　　図１
0003100191.tif 000002
【実用新案登録請求の範囲】
【請求項１】
　プラグ端子の一部が絶縁層で被覆され、並びに被覆された部分が後段とされ、絶縁層で未被覆の露出部が前部とされ、プラグ端子後部に穿孔が設けられた防水型絶縁端子において、プラグ端子の端子本体の後部を被覆する絶縁層が延伸されて末端に凸縁部が形成され、且つ該絶縁層のプラスチック材料が端子本体後部の穿孔に充填されて強固な結合を形成し、該凸縁部とプラグ端子の内フレームが一体射出成形される時、凸縁部が内フレームの内縁に当接し、水分の外部からの進入を形成し、安全性に符合することを特徴とする、防水型絶縁端子。
【請求項２】
　請求項１記載の防水型絶縁端子において、端子本体の絶縁層で被覆された後部の表面に複数の凹紋が形成されて絶縁層の固着性が増されたことを特徴とする、防水型絶縁端子。
【請求項３】
　請求項２記載の防水型絶縁端子において、端子本体の絶縁層で被覆された後部の上表面と下表面のいずれにも凹紋が形成されたことを特徴とする、防水型絶縁端子。
【請求項４】
　請求項１記載の防水型絶縁端子において、凸縁部の角縁が円角状とされたことを特徴とする、防水型絶縁端子。
【請求項５】
　請求項１記載の防水型絶縁端子において、凸縁部の角縁が面取状とされたことを特徴とする、防水型絶縁端子。
【考案の詳細な説明】
【技術分野】
【０００１】
　本考案は一種の防水型絶縁端子に係り、特に、絶縁型端子の使用中に、液体のプラグ内部への進入により引き起こされる電線出火の事故を防止し、安全設計とされたものに関する。
【背景技術】
【０００２】
　日常生活と工業において電器或いは電気用具を使用する時、交流電源を電源とし、プラグをコンセントに差し込み、電流を電器或いは電気用具に伝導する。プラグが使用される場所は非常に広範であり、湿った環境でも電器設備はプラグを使用しなければならず、このため水分子が端子外縁とプラグケースの挿入孔内縁よりしみこむ。プラグの使用は運転中の機器或いは操作中のシステムの安全に関係し、もし水分の進入により故障が発生すると、危険をもたらす恐れがあり、プラグ装置の浪費だけでなく、突発性の工業安全上或いは環境保護上の問題を形成しうる。
【０００３】
　ゆえに、防水はプラグ端子の重要な研究課題である。これに対して図１、及び図２に示されるようなプラグ端子が提供されている。それは、端子本体１の外縁に保護カバー２が設けられ、該保護カバー２の中間に貫通部２１が設けられ、該貫通部２１は端子本体１形状に対応するよう形成さ、保護カバー２が端子本体１に套設されて、それがプラグケースに成形され、挿入孔が密封される。
【０００４】
　この保護カバー２は以下のような問題を有している。
　１．このような保護カバーは付加套設部品とされ、それと端子本体との結合は、付加套設の状態とされ、これによりその生産コストは比較的高く、別に型を製作してこの保護カバーを製造しなくてはならない。
　２．このような保護カバーは付加套設部品とされ、それは基本的に端子本体とは分離しており、密着性が不良であり、水分がその接合部間よりしみこむ恐れがある。
　３．このような保護カバーは密着性が不良で、位置決め性が欠如し、このため脱落現象を発生する恐れがあり、端子との組合せ後、後続工程の圧線成形作業過程で脱落しやすく、生産の順調性を損なったり不良率を高くする。
【考案の開示】
【考案が解決しようとする課題】
【０００５】
　本考案は従来の技術の構造の不完全な部分に対して、それを改善した一種の防水型絶縁端子を提供する。それは、プラグ端子の防水性を高め、安全性を高めるものとする。
【課題を解決するための手段】
【０００６】
　請求項１の考案は、プラグ端子の一部が絶縁層で被覆され、並びに被覆された部分が後段とされ、絶縁層で未被覆の露出部が前部とされ、プラグ端子後部に穿孔が設けられた防水型絶縁端子において、プラグ端子の端子本体の後部を被覆する絶縁層が延伸されて末端に凸縁部が形成され、且つ該絶縁層のプラスチック材料が端子本体後部の穿孔に充填されて強固な結合を形成し、該凸縁部とプラグ端子の内フレームが一体射出成形される時、凸縁部が内フレームの内縁に当接し、水分の外部からの進入を形成し、安全性に符合することを特徴とする、防水型絶縁端子としている。
　請求項２の考案は、請求項１記載の防水型絶縁端子において、端子本体の絶縁層で被覆された後部の表面に複数の凹紋が形成されて絶縁層の固着性が増されたことを特徴とする、防水型絶縁端子としている。
　請求項３の考案は、請求項２記載の防水型絶縁端子において、端子本体の絶縁層で被覆された後部の上表面と下表面のいずれにも凹紋が形成されたことを特徴とする、防水型絶縁端子としている。
　請求項４の考案は、請求項１記載の防水型絶縁端子において、凸縁部の角縁が円角状とされたことを特徴とする、防水型絶縁端子としている。
　請求項５の考案は、請求項１記載の防水型絶縁端子において、凸縁部の角縁が面取状とされたことを特徴とする、防水型絶縁端子としている。
【考案の効果】
【０００７】
　本考案は以下のような効果を有している。
１．本考案の絶縁層は、端子本体と結合され、プラスチック材料が立体空間形態を以て穿孔を保持し、且つ進入式或いは環状係止式に端子本体を保持して結合し、絶縁層の断裂以外に脱出させることがなく、安全で、強固な結合を形成する。
２．本考案の絶縁層の外縁は末端に凸縁部が形成され、該凸縁部がプラグ端子の内フレームと一体に射出成形される時、内フレームの内縁に当接して水分の外部からの進入を防止する安全効果を達成する。
３．本考案はプラスチック材料と穿孔の強力な保持により絶縁層が立体空間形態を以て端子本体と結合され一体とされ、密着性が良好で水分の進入に対して綿密な防護を形成する。
４．本考案は防水の設計を具備するだけでなく、自身がプラグ端子の安全に必要な絶縁層とされ、これによりプラグ使用者が手でプラグ端子の後段部に接触しても、本考案により感電を防止する安全防護効果が得られる。
５．本考案の端子本体は絶縁層で後部が被覆され、表面に複数の凹紋が形成されて、絶縁層の固着性が増加され、並びに端子の防水効果が高められている。
【０００８】
　総合すると、本考案は実用効果を具備し、且つその構造はその出願前に頒布された刊行物に記載がなく、また公開されていないため、実用新案登録の要件を具備している。なお、本考案に基づきなしうる細部の修飾或いは改変は、いずれも本考案の請求範囲に属するものとする。
【考案を実施するための最良の形態】
【０００９】
　本考案は、プラグ端子の一部を絶縁層で被覆し、並びに該一部を後部とし、絶縁層で被覆されてない露出部を前部とする。また、プラグ端子の後部に穿孔を設けた防水型絶縁端子において、該絶縁層の外縁の末端に凸縁部を形成し、且つ該絶縁層のプラスチック材料を端子本体後部の穿孔に充填し、強固な結合を形成し、該凸縁部をプラグ端子の内フレームを一体に射出成形する時、内フレームの内縁に当接させて、水分が外部より進入するのを防止する安全効果を形成する。
【００１０】
　図４を参照されたい（図４は端子が配列されて未切断の状態であり、以下に一つのユニットプラグ端子について説明を行なう）。本考案の防水型絶縁端子は、端子本体３と絶縁層４を具えている。
【００１１】
　該端子本体３の絶縁層４で被覆される前の状態については、図３を参照されたい（図３は端子が配列されて未切断状態であり、以下に一つのユニットプラグ端子について説明を行なう）。絶縁層４で被覆した後、絶縁層４で被覆された部分は後部３１と画定し、絶縁層４で被覆されていない露出部を前部３２と画定する。端子本体３は金属とされ直接導電する。これにより前部３２とソケット（電源）が接触して導電する。特に、本考案では後部３１に穿孔３３が設けられている。
【００１２】
　該絶縁層４は、プラスチック層とされ、端子本体３の後部３１を被覆し、安全絶縁表面を形成し、且つその外縁の末端に凸縁部４１が形成される。図２８、２９に示されるように、該端子本体を被覆する絶縁層４は異なる角縁を以て各種実施例の絶縁層４Ａ、４Ｂに形成されうる。該凸縁部４１と端子本体３のケースが一体射出成形される時、該凸縁部４１が内フレーム内縁に当接し、プラグケース内部に防水のストッパ壁効果を具備させる。また、特に、本考案の端子本体３は後部３１に穿孔３３が設けられている。
【００１３】
　絶縁層４は、端子本体３外縁を被覆するように射出成形されて形成される。一体射出成形時に、溶融状態のプラスチック材料が穿孔３３より進入し穿孔３３を充満し、硬化後に、絶縁層４と端子本体３が穿孔３３に充填された絶縁層４のプラスチック材料により緊密に結合される。その組合せ形態については図９及び図１０を参照されたい。
【００１４】
　図５、６に示される本考案の実施例によると、端子本体３Ａの周縁に凹部３４Ａが形成されて絶縁層４Ａの補填と組み合わされる。このようなプラグ端子に形成される前部と後部は前面が平坦とされる。その組合せ形態は図１１と図１２に示されるとおりである。
【００１５】
　図７、８に示される本考案の実施例によると、端子本体３Ｂの一部周縁に凹部３４Ｂが形成されて絶縁層４Ｂの補填と組み合わされる。このようなプラグ端子は局部が平坦とされる。
【００１６】
　図１３と図１４は本考案を二極端子のプラグに運用した実施例を示す。そのうち図１３は本考案がプラグケースに被覆される前の状態で、先ず、本考案の端子本体３が絶縁層４で被覆され、電線接続作業完成後に、内フレーム５に組み付けられ、位置決めにより射出成形時に安定するものとされ、さらにその外部に射出成形によりプラグケース６が形成される。
【００１７】
　図１５と図１６は本考案を二極端子のプラグに運用した実施例を示す。そのうち図１５は本考案がプラグケースに被覆される前の状態で、先ず、本考案の端子本体３Ｂ（この端子本体は一部周縁が凹部を呈する）が絶縁層４Ｂで被覆され、電線接続作業完成後に、内フレーム５Ｂに組み付けられ、位置決めにより射出成形時に安定するものとされ、さらにその外部に射出成形によりプラグケース６Ｂが形成される。
【００１８】
　図１７と図１８は本考案を二極端子のプラグに運用した実施例を示す。そのうち図１７は本考案がプラグケースに被覆される前の状態で、先ず、本考案の端子本体３Ａ（この端子本体は全部の周縁が凹部を呈する）が絶縁層４Ａで被覆され、電線接続作業完成後に、内フレーム５Ａに組み付けられ、位置決めにより射出成形時に安定するものとされ、さらにその外部に射出成形によりプラグケース６Ａが形成される。
【００１９】
　図１９と図２０は本考案を三極端子のプラグに運用した実施例を示す。先ず、本考案の端子本体３が絶縁層４で被覆され、電線接続作業完成後に、内フレーム５Ｃに組み付けられ、位置決めにより射出成形時に安定するものとされ、さらにその外部に射出成形により図２１に示されるようにプラグケース６Ｃが形成される。
【００２０】
　図２２と図２３は本考案を三極端子のプラグに運用した実施例を示す。先ず、本考案の端子本体３Ｂ（この端子本体は一部周縁が凹部を呈する）が絶縁層４Ｂで被覆され、電線接続作業完成後に、内フレーム５Ｄに組み付けられ、位置決めにより射出成形時に安定するものとされ、さらにその外部に図２４に示されるように射出成形によりプラグケース６Ｄが形成される。
【００２１】
　図２５と図２６は本考案を三極端子のプラグに運用した実施例を示す。先ず、本考案の端子本体３Ａ（この端子本体は全部の周縁が凹部を呈する）が絶縁層４Ａで被覆され、電線接続作業完成後に、内フレーム５Ｅに組み付けられ、位置決めにより射出成形時に安定するものとされ、さらにその外部に図２７に示されるように射出成形によりプラグケース６Ｅが形成される。
【００２２】
　図３０、図３１に示される実施例では、本考案の端子本体３Ｃの絶縁層４Ｃで被覆された後部の表面（上表面、下表面或いは単一表面のいずれでもよい）に、複数の凹紋３５が形成され、並びに図３１、図３２に示されるように、この表面の凹紋３５により、絶縁層４Ｃの固着性が増され、並びに端子の防水効果が高められている。
【図面の簡単な説明】
【００２３】
【図１】周知の端子と保護カバーの分解斜視図である。
【図２】周知の端子と保護カバーの組合せ平面断面図である。
【図３】本考案の絶縁層を具えた配列形状のプラグ端子の斜視図である。
【図４】本考案の配列状のプラグ端子本体の立体図である。
【図５】本考案のＡ実施例の絶縁層を具えた配列状プラグ端子の立体図である。
【図６】本考案のＡ実施例の配列状プラグ端子本体の立体図である。
【図７】本考案のＢ実施例の絶縁層を具えた配列状プラグ端子の立体図である。
【図８】本考案のＢ実施例の配列状プラグ端子本体の立体図である。
【図９】本考案の端子と絶縁層の組合せ平面断面図である。
【図１０】本考案の端子と絶縁層の組合せ側面断面図である。
【図１１】本考案のＡ実施例の端子と絶縁層の組合せ平面断面図である。
【図１２】本考案のＡ実施例の端子と絶縁層の組合せ側面断面図である。
【図１３】本考案の二極端子のプラグの半製品表示図である。
【図１４】本考案の二極端子のプラグの完成品斜視図である。
【図１５】本考案のＢ実施例の二極端子のプラグの半製品表示図である。
【図１６】本考案のＢ実施例の二極端子のプラグの完成品斜視図である。
【図１７】本考案のＡ実施例の二極端子のプラグ半製品表示図である。
【図１８】本考案のＡ実施例の二極端子のプラグの完成品斜視図である。
【図１９】本考案の三極端子のプラグの分解斜視図である。
【図２０】本考案の三極端子のプラグの半製品斜視図である。
【図２１】本考案の三極端子のプラグの完成品斜視図である。
【図２２】本考案のＢ実施例の三極端子プラグの分解斜視図である。
【図２３】本考案のＢ実施例の三極端子プラグの半製品斜視図である。
【図２４】本考案のＢ実施例の三極端子プラグの完成品斜視図である。
【図２５】本考案のＡ実施例の三極端子のプラグ半製品表示図である。
【図２６】本考案のＡ実施例の三極端子のプラグの完成品斜視図である。
【図２７】本考案のＡ実施例の三極端子プラグの完成品斜視図である。
【図２８】本考案の絶縁層で端子本体平面を被覆した平面断面図である。
【図２９】本考案の絶縁層で端子本体平面を被覆した平面断面図である。
【図３０】本考案の端子本体のまた別の実施例の平面図である。
【図３１】本考案の端子本体を絶縁層で被覆した平面断面図図である。
【図３２】図３１のＡ部分の局部拡大図である。
【符号の説明】
【００２４】
１　端子本体
２　保護カバー
２１　貫通部
３　端子本体
３Ａ　端子本体
３Ｂ　端子本体
３Ｃ　端子本体
３１　後部
３２　前部
３３　穿孔
３４Ａ　凹部
３４Ｂ　凹部
３５　凹紋
４　絶縁層
４Ａ　絶縁層
４Ｂ　絶縁層
４Ｃ　絶縁層
５　内フレーム
５Ａ　内フレーム
５Ｂ　内フレーム
５Ｃ　内フレーム
５Ｄ　内フレーム
５Ｅ　内フレーム
６　プラグケース
６Ａ　プラグケース
６Ｂ　プラグケース
６Ｃ　プラグケース
６Ｄ　プラグケース
６Ｅ　プラグケース
【図１】
0003100191.tif 000003
【図２】
0003100191.tif 000004
【図３】
0003100191.tif 000005
【図４】
0003100191.tif 000006
【図５】
0003100191.tif 000007
【図６】
0003100191.tif 000008
【図７】
0003100191.tif 000009
【図８】
0003100191.tif 000010
【図９】
0003100191.tif 000011
【図１０】
0003100191.tif 000012
【図１１】
0003100191.tif 000013
【図１２】
0003100191.tif 000014
【図１３】
0003100191.tif 000015
【図１４】
0003100191.tif 000016
【図１５】
0003100191.tif 000017
【図１６】
0003100191.tif 000018
【図１７】
0003100191.tif 000019
【図１８】
0003100191.tif 000020
【図１９】
0003100191.tif 000021
【図２０】
0003100191.tif 000022
【図２１】
0003100191.tif 000023
【図２２】
0003100191.tif 000024
【図２３】
0003100191.tif 000025
【図２４】
0003100191.tif 000026
【図２５】
0003100191.tif 000027
【図２６】
0003100191.tif 000028
【図２７】
0003100191.tif 000029
【図２８】
0003100191.tif 000030
【図２９】
0003100191.tif 000031
【図３０】
0003100191.tif 000032
【図３１】
0003100191.tif 000033
【図３２】
0003100191.tif 000034